(57)【要約】      （修正有）【課題】ネジ等の締結具を必要とせずに内外の台座を扉の壁面に容易且つ確実に固定することができる扉のハンドル座を提供する。【解決手段】一方の台座は、一方の軸孔の周囲から扉を貫通する方向に突設される連結柱２５と、を備え、他方の台座１５は、他方の軸孔２０の周囲において扉に沿う方向に設けられる係合片３０と、を備え、係合片は、連結柱の先端部２５ｂが挿入可能なように形成される始端孔３７と、連結柱の先端部を係止可能なように形成される終端孔３８と、始端孔３７から終端孔３８に向かうに従って扉から離間するように形成される傾斜部３５において連結柱の先端部を摺接状態で移動可能なように形成される誘導孔３９と、を備え、連結柱の先端部を始端孔に挿入させ、誘導孔に沿って終端孔の方向に移動させると、係合片が扉側に弾性変形するように構成されていることを特徴とする。【選択図】図８
2015183443.tif 000002
【特許請求の範囲】
【請求項１】
扉の内外の壁面にそれぞれ互いに対向するように台座が装着される扉のハンドル座であって、
前記内外の台座のうちのいずれか一方の台座は、
一方のハンドルの軸部が嵌挿する一方の軸孔と、
該一方の軸孔の周囲から前記扉を貫通する方向に突設される連結柱と、
を備え、
前記内外の台座のうちのいずれか他方の台座は、
他方のハンドルの軸部が嵌挿する他方の軸孔と、
該他方の軸孔の周囲において前記扉に沿う方向に設けられる係合片と、
を備え、
前記係合片は、
前記連結柱の先端部が挿入可能なように形成される始端孔と、
前記連結柱の先端部を係止可能なように形成される終端孔と、
前記始端孔から前記終端孔に向かうに従って前記扉から離間するように形成される傾斜部において前記連結柱の先端部を摺接状態で移動可能なように形成される誘導孔と、を備え、
前記連結柱の先端部を前記始端孔に挿入させ、前記誘導孔に沿って前記終端孔の方向に移動させると、前記係合片が前記扉側に弾性変形するように構成されていることを特徴とする扉のハンドル座。
【請求項２】
前記係合片は片持ち支持されており、該係合片の基端部に前記始端孔が形成されると共に該係合片の先端部に前記終端孔が形成され、前記始端孔と前記誘導孔と前記終端孔は前記他方の軸孔の同心円上に形成されていることを特徴とする請求項１に記載の扉のハンドル座。
【請求項３】
前記係合片は両端で支持されており、前記始端孔と前記誘導孔と前記終端孔は直線上に形成され、該終端孔と前記係合片の支持端との間にバネ部が形成されていることを特徴とする請求項１に記載の扉のハンドル座。
【請求項４】
前記連結柱は前記一方の軸孔の周囲に均等間隔で複数設けられ、
前記係合片は前記連結柱に対応して前記他方の軸孔の周囲に均等間隔で複数設けられていることを特徴とする請求項１〜３のいずれか１の請求項に記載の扉のハンドル座。
【請求項５】
前記始端孔は、前記係合片の前記扉に平行な部分において前記連結柱の先端部より大径に形成されていることを特徴とする請求項１〜４のいずれか１の請求項に記載の扉のハンドル座。
【発明の詳細な説明】
【技術分野】
【０００１】
本発明は、扉の内外の壁面にそれぞれ互いに対向するように台座が装着される扉のハンドル座に関する。
【背景技術】
【０００２】
従来、扉の開放端側に内設される錠箱にはハンドル座を介して室内側ハンドルと室外側ハンドルが取り付けられる。このハンドル座には、扉を挟持するように扉の内外の壁面にそれぞれ対向するように台座が設けられ、外側台座の連結柱には雌ネジが形成され、内側台座には貫通孔が形成されている。そして、この内側台座の貫通孔に挿入したネジ等の締結具を外側台座の連結柱に螺着することで、各台座が連結されて扉の内外の壁面に固定されるようになっている（例えば、特許文献１又は２参照）。
【先行技術文献】
【特許文献】
【０００３】
【特許文献１】特開平９−１５１６２８号公報
【特許文献２】特開平１１−３０３４６７号公報
【発明の概要】
【発明が解決しようとする課題】
【０００４】
しかしながら、上記した従来の扉のハンドル座では、内外の台座を連結して内外の壁面に固定する時にネジ等の締結具を螺着する作業をドライバー等の工具を使用して行う必要がある。そのため、台座の固定作業に手間が掛かるという問題や、ネジ等の締結具が緩むと台座がガタ付くという問題が生じている。
【０００５】
本発明は、上記した課題を解決すべくなされたものであり、ネジ等の締結具を必要とせずに内外の台座を扉の壁面に容易且つ確実に固定することのできる扉のハンドル座を提供することを目的するものである。
【課題を解決するための手段】
【０００６】
上記した目的を達成するため、本発明は、扉の内外の壁面にそれぞれ互いに対向するように台座が装着される扉のハンドル座であって、前記内外の台座のうちのいずれか一方の台座は、一方のハンドルの軸部が嵌挿する一方の軸孔と、該一方の軸孔の周囲から前記扉を貫通する方向に突設される連結柱と、を備え、前記内外の台座のうちのいずれか他方の台座は、他方のハンドルの軸部が嵌挿する他方の軸孔と、該他方の軸孔の周囲において前記扉に沿う方向に設けられる係合片と、を備え、前記係合片は、前記連結柱の先端部が挿入可能なように形成される始端孔と、前記連結柱の先端部を係止可能なように形成される終端孔と、前記始端孔から前記終端孔に向かうに従って前記扉から離間するように形成される傾斜部において前記連結柱の先端部を摺接状態で移動可能なように形成される誘導孔と、を備え、前記連結柱の先端部を前記始端孔に挿入させ、前記誘導孔に沿って前記終端孔の方向に移動させると、前記係合片が前記扉側に弾性変形するように構成されていることを特徴とする。
【０００７】
また、本発明に係る扉のハンドル座において、前記係合片は片持ち支持されており、該係合片の基端部に前記始端孔が形成されると共に該係合片の先端部に前記終端孔が形成され、前記始端孔と前記誘導孔と前記終端孔は前記他方の軸孔の同心円上に形成されていてもよい。
【０００８】
また、本発明に係る扉のハンドル座において、前記係合片は両端で支持されており、前記始端孔と前記誘導孔と前記終端孔は直線上に形成され、該終端孔と前記係合片の支持端との間にバネ部が形成されていてもよい。
【０００９】
また、本発明に係る扉のハンドル座において、前記連結柱は前記一方の軸孔の周囲に均等間隔で複数設けられ、前記係合片は前記連結柱に対応して前記他方の軸孔の周囲に均等間隔で複数設けられていてもよい。
【００１０】
また、本発明に係る扉のハンドル座において、前記始端孔は、前記係合片の前記扉に平行な部分において前記連結柱の先端部より大径に形成されていてもよい。
【発明の効果】
【００１１】
本発明によれば、ネジ等の締結具を必要とせずに内外の台座を扉の壁面に容易且つ確実に固定することができる等、種々の優れた効果を得ることができる。
【図面の簡単な説明】
【００１２】
【図１】本発明の第１の実施の形態に係る扉のハンドル座を示す断面図である。
【図２】本発明の第１の実施の形態に係る扉のハンドル座において外側台座を示す正面図である。
【図３】本発明の第１の実施の形態に係る扉のハンドル座において外側台座を示す断面図である。
【図４】本発明の第１の実施の形態に係る扉のハンドル座において内側台座を示す正面図である。
【図５】本発明の第１の実施の形態に係る扉のハンドル座において内側台座を示す断面図である。
【図６】（ａ）は本発明の第１の実施の形態に係る扉のハンドル座の固定方法を示す正面図であり、（ｂ）は本発明の第１の実施の形態に係る扉のハンドル座の固定方法を示す断面図である。
【図７】（ａ）は本発明の第１の実施の形態に係る扉のハンドル座の固定方法を示す正面図であり、（ｂ）は本発明の第１の実施の形態に係る扉のハンドル座の固定方法を示す断面図である。
【図８】（ａ）は本発明の第１の実施の形態に係る扉のハンドル座の固定方法を示す正面図であり、（ｂ）は本発明の第１の実施の形態に係る扉のハンドル座の固定方法を示す断面図である。
【図９】本発明の第２の実施の形態に係る扉のハンドル座において内側台座を示す正面図である。
【図１０】本発明の第２の実施の形態に係る扉のハンドル座において内側台座を示す断面図である。
【図１１】図９のＡ−Ａ断面図である。
【発明を実施するための形態】
【００１３】
以下、図面を参照しつつ、本発明の実施の形態に係る扉のハンドル座について詳細に説明する。
【００１４】
まず、図１〜図８を参照しつつ、本発明の第１の実施の形態に係る扉のハンドル座について説明する。ここで、図１は本発明の第１の実施の形態に係る扉のハンドル座を示す断面図、図２は本発明の第１の実施の形態に係る扉のハンドル座において外側台座を示す正面図、図３は本発明の第１の実施の形態に係る扉のハンドル座において外側台座を示す断面図、図４は本発明の第１の実施の形態に係る扉のハンドル座において内側台座を示す正面図、図５は本発明の第１の実施の形態に係る扉のハンドル座において内側台座を示す断面図である。
【００１５】
本実施の形態に係る扉のハンドル座は、扉１０の開放側端部に内設される錠箱１１に室外側ハンドル１２及び室内側ハンドル１３を取り付けるためのものであり、この錠箱１１には、図示しないラッチ出没機構が設けられている。扉１０の外壁面１０ａ及び内壁面１０ｂにはそれぞれ互いに対向するように外側台座１４（図１の扉１０の右側）及び内側台座１５（図１の扉１０の左側）が装着されており、外側台座１４及び内側台座１５の外面はそれぞれ外側化粧カバー１６及び内側化粧カバー１７により覆われている。
【００１６】
外側台座１４は、縦長板状を成し、上壁中央部１４ａが上方に湾曲すると共に下壁中央部１４ｂが下方に湾曲して形成されている。上壁中央部１４ａ及び下壁中央部１４ｂにはそれぞれ小切欠部１８ａ，１８ｂが形成され、これらの小切欠部１８ａ，１８ｂに外側化粧カバー１６の弾性爪部１９ａ，１９ｂがそれぞれ係合することで、外側化粧カバー１６は外側台座１４に固定される。
【００１７】
外側台座１４には、その中央に円形状の軸孔２０が形成され、この軸孔２０に室外側ハンドル１２の軸部２１が嵌挿される。これに対して、内側台座１５には、その中央に円形状の軸孔２２が形成され、この軸孔２２に室内側ハンドル１３の軸部２３が嵌挿される。そして、各軸孔２０，２２にそれぞれ嵌挿された室外側ハンドル１２の軸部２１及び室内側ハンドル１３の軸部２３は長杆状の角軸２４を介して連結される。
【００１８】
外側台座１４には、軸孔２０の周囲から扉１０を貫通する方向に２本の連結柱２５が突設されており、各連結柱２５は軸孔２０を挟んで上下対称位置に均等間隔で配置されている。連結柱２５は、略円柱形状を成しており、その根元部分２５ａは、該根元部分２５ａから先端に延伸する部分よりもやや大径に形成されている。連結柱２５の長さは扉１０及び内側台座１５の肉厚を考慮して適宜に設定されている。連結柱２５の先端部２５ｂには、周溝２６が形成され、この周溝２６の先端側に鍔部２７が形成されている。
【００１９】
内側台座１５は、縦長板状を成し、上壁中央部１５ａが上方に湾曲すると共に下壁中央部１５ｂが下方に湾曲して形成されている。上壁中央部１５ａ及び下壁中央部１５ｂにはそれぞれ小切欠部２８ａ，２８ｂが形成され、これらの小切欠部２８ａ，２８ｂに内側化粧カバー１７の弾性爪部２９ａ，２９ｂがそれぞれ係合することで、内側化粧カバー１７は内側台座１５に固定される。
【００２０】
内側台座１５には、軸孔２２の周囲の２箇所において扉１０の内壁面１０ｂに沿う方向に係合片３０が形成されている。各係合片３０は、軸孔２２を挟んで上下対称位置に均等間隔で配置されている。各係合片３０は、側壁３１に片持ち支持されており、内壁面１０ｂに対して近接離間方向に弾性変形可能に設けられている。各係合片３０は、扉１０の内壁面１０ｂに近接した位置において内壁面１０ｂに平行に形成される基端部３３と、基端部３３より内壁面１０ｂから離間した位置において内壁面１０ｂに平行に形成される先端部３４と、基端部３３から先端部３４に向かうに従って内壁面１０ｂから離間するように形成される傾斜部３５と、により構成されている。
【００２１】
各係合片３０には、略長円形状の連結孔部３６がそれぞれ軸孔２２の同心円上に形成されている。連結孔部３６は、基端部３３において連結柱２５の鍔部２７より大径の円形状に形成される始端孔３７と、先端部３４において連結柱２５の鍔部２７より小径の円形状に形成される終端孔３８と、傾斜部３５において始端孔３７と終端孔３８とを連通するように形成される誘導孔３９と、により構成されている。誘導孔３９の対向幅は周溝２６の外径より大きく且つ鍔部２７の外径より小さく形成されている。これにより、連結柱２５の先端部２５ｂは始端孔３７と終端孔３８との間を誘導孔３９に摺接状態で移動可能となっている。
【００２２】
次に、主に図１及び図６〜図８を参照しつつ、本実施の形態に係る扉のハンドル座の作用について説明する。ここで、図６（ａ）は本発明の第１の実施の形態に係る扉のハンドル座の固定方法を示す正面図、図６（ｂ）は本発明の第１の実施の形態に係る扉のハンドル座の固定方法を示す断面図、図７（ａ）は本発明の第１の実施の形態に係る扉のハンドル座の固定方法を示す正面図、図７（ｂ）は本発明の第１の実施の形態に係る扉のハンドル座の固定方法を示す断面図、図８（ａ）は本発明の第１の実施の形態に係る扉のハンドル座の固定方法を示す正面図、図８（ｂ）は本発明の第１の実施の形態に係る扉のハンドル座の固定方法を示す断面図である。
【００２３】
まず、外側台座１４の連結柱２５を扉１０及び錠箱１１の各貫通孔に差込み、図６（ａ）、（ｂ）に示すように、貫通した連結柱２５の先端部２５ｂ（周溝２６、鍔部２７）に内側台座１５の連結孔部３６の始端孔３７を嵌め合わせる。この時、始端孔３７の形成される基端部３３が扉１０の内壁面１０ｂに平行に形成されていると共に始端孔３７が鍔部２７より大径に形成されているため、始端孔３７に対する先端部２５ｂの嵌め合わせ作業を容易且つ円滑に行うことができる。
【００２４】
その後、図７（ａ）、（ｂ）に示すように、内側台座１５を所定方向（図７（ａ）における時計回り方向）に回転させると、連結柱２５の先端部２５ｂの鍔部２７は、周溝２６に誘導孔３９の対向する内周縁部が摺接することで案内されながら誘導孔３９を移動する。この時、誘導孔３９が傾斜部３５に形成されているため、係合片３０は扉１０の内壁面１０ｂに近接する方向に弾性変形する。
【００２５】
さらに内側台座１５を同方向に回転させ続けると、図８（ａ）、（ｂ）に示すように、先端部２５ｂの鍔部２７は、誘導孔３９から終端孔３８へと移動する。この時、係合片３０が内壁面１０ｂ側に弾性変形することで内壁面１０ｂから離間する方向に生じる係合片３０の反発力により、先端部２５ｂの鍔部２７は終端孔３７の内周縁部に係止する。
【００２６】
したがって、ネジ等の締結具を使用することなく、簡単且つ確実に、外側台座１４及び内側台座１５を結合し、扉１０に固定することができる。また、ネジ等の締結具が緩むことがなく、台座のガタ付きを防止することができる。さらに、扉１０の製造精度の良し悪し等の理由により、台座１４，１５を固定する扉１０の厚みに多少の誤差があったとしても、係合片３０の弾性によりその誤差を吸収することができるため、台座１４，１５の取り付け作業に支障をきたす虞がない。
【００２７】
次に、主に図９〜図１１を参照しつつ、本発明の第２の実施の形態に係る扉のハンドル座について説明する。ここで、図９は本発明の第２の実施の形態に係る扉のハンドル座において内側台座を示す正面図、図１０は本発明の第２の実施の形態に係る扉のハンドル座において内側台座を示す断面図、図１１は図９のＡ−Ａ断面図である。
【００２８】
本実施の形態に係る扉のハンドル座は、内側台座５０と外側台座を備えているが、該外側台座は、上記した第１の実施の形態における外側台座１４と同じ構成を有しているため、ここでの詳細な説明は省略する。また、本実施の形態における内側台座５０において、上記した第１の実施の形態における内側台座１５と同等の構成については図中、同一の符号を付し、詳細な説明を省略する。
【００２９】
本実施の形態における内側台座５０には、軸孔２２の周囲の２箇所において扉１０の内壁面１０ｂに沿う方向に係合片５１が形成されている。各係合片５１は、軸孔２２を挟んで上下対称位置に均等間隔で配置され、両側壁５２，５３に各端部５４，５５がそれぞれ支持されている。
【００３０】
各係合片５１は、扉１０の内壁面１０ｂに近接した位置において内壁面１０ｂに平行に形成される一端部５４と、一端部５４より内壁面１０ｂから離間した位置において内壁面１０ｂに平行に形成される中央部５６と、一端部５４から中央部５６に向かうに従って内壁面１０ｂから離間するように形成される傾斜部５７と、他端部５５と中央部５６との間に形成されるバネ部５８と、により構成されている。
【００３１】
各係合片５１には、略長円形状の連結孔部５９がそれぞれ水平直線上に形成されている。連結孔部５９は、一端部５４において連結柱２５の鍔部２７（例えば、図３参照）より大径の円形状に形成される始端孔６０と、中央部５６において連結柱２５の鍔部２７より小径の円形状に形成される終端孔６１と、傾斜部５７において始端孔６０と終端孔６１とを連通するように形成される誘導孔６２と、により構成されている。誘導孔６２の対向幅は周溝２６（例えば、図３参照）の外径より大きく且つ鍔部２７の外径より小さく形成されている。これにより、連結柱２５の先端部２５ｂ（例えば、図３参照）は始端孔６０と終端孔６１との間を誘導孔６２に摺接状態で移動可能となっている。
【００３２】
バネ部５８は、扉１０の内壁面１０ｂから離間する方向に断面逆Ｕ字状に屈曲した形状を有しており、このバネ部５８により、係合片３０は、内壁面１０ｂに対して近接離間方向に弾性変形可能となっている。
【００３３】
このような構成を備えた本実施の形態に係る扉のハンドル座において、外側台座１４の連結柱２５（例えば、図３参照）を扉１０及び錠箱１１（図１参照）の各貫通孔に差込み、貫通した連結柱２５の先端部２５ｂ（周溝２６、鍔部２７）に内側台座５０の連結孔部５９の始端孔６０を嵌め合わせる。この時、始端孔６０の形成される一端部５４が扉１０の内壁面１０ｂに平行に形成されていると共に始端孔６０が鍔部２７より大径に形成されているため、始端孔６０に対する先端部２５ｂの嵌め合わせ作業を容易且つ円滑に行うことができる。
【００３４】
その後、内側台座５０を所定方向（図９における左方向）に水平移動させると、連結柱２５の先端部２５ｂの鍔部２７は、周溝２６に誘導孔６２の対向する内周縁部が摺接することで案内されながら誘導孔６２を移動する。この時、誘導孔６２が傾斜部５７に形成されているため、係合片５１は扉１０の内壁面１０ｂに近接する方向に弾性変形する。
【００３５】
さらに内側台座５０を同方向に水平移動させ続けると、先端部２５ｂの鍔部２７は、誘導孔６２から終端孔６１へと移動する。この時、係合片５１のバネ部５８の反発力により、先端部２５ｂの鍔部２７は終端孔６１の内周縁部に係止する。したがって、ネジ等の締結具を使用することなく、簡単且つ確実に、外側台座１４及び内側台座５０を結合し、扉１０に固定することができる。また、ネジ等の締結具が緩むことがなく、台座のガタ付きを防止することができる。さらに、扉１０の製造精度の良し悪し等の理由により、台座１４，５０を固定する扉１０の厚みに多少の誤差があったとしても、係合片５１の弾性によりその誤差を吸収することができるため、台座１４，５０の取り付け作業に支障をきたす虞がない。
【００３６】
なお、上記した本発明の各実施の形態では、外側台座１４に連結柱２５を設け、内側台座１５又は５０に係合片３０又は５１を設けた場合について説明したが、反対に、外側台座１４に係合片３０又は５１を設け、内側台座１５又は５０に連結柱２５を設けてもよい。
【００３７】
また、上記した本発明の各実施の形態では、連結柱２５や係合片３０又は５１をそれぞれ２個ずつ設けているが、それぞれ３個以上ずつ或いは１個ずつ設置してもよいが、設置数を増やした方が、内外の台座１４，１５又は５０をよりしっかりと固定することができる。
【００３８】
なお、上記した本発明の各実施の形態の説明は、本発明に係る扉のハンドル座における好適な実施の形態を説明しているため、技術的に好ましい種々の限定を付している場合もあるが、本発明の技術範囲は、特に本発明を限定する記載がない限り、これらの態様に限定されるものではない。すなわち、上記した本発明の実施の形態における構成要素は適宜、既存の構成要素等との置き換えが可能であり、かつ、他の既存の構成要素との組合せを含む様々なバリエーションが可能であり、上記した本発明の実施の形態の記載をもって、特許請求の範囲に記載された発明の内容を限定するものではない。
【符号の説明】
【００３９】
１０    扉
１０ａ  外壁面
１０ｂ  内壁面
１２    外側ハンドル
１３    内側ハンドル
１４    外側台座
１５    内側台座
２０    軸孔
２１    軸部
２２    軸孔
２３    軸部
２５    連結柱
２５ｂ  先端部
３０    係合片
３５    傾斜部
３７    始端孔
３８    終端孔
３９    誘導孔
５０    内側台座
５１    係合片
５７    傾斜部
５８    バネ部
６０    始端孔
６１    終端孔
６２    誘導孔
【図１】
2015183443.tif 000003
【図２】
2015183443.tif 000004
【図３】
2015183443.tif 000005
【図４】
2015183443.tif 000006
【図５】
2015183443.tif 000007
【図６】
2015183443.tif 000008
【図７】
2015183443.tif 000009
【図８】
2015183443.tif 000010
【図９】
2015183443.tif 000011
【図１０】
2015183443.tif 000012
【図１１】
2015183443.tif 000013